(57)【特許請求の範囲】
【請求項１】
地面Ｇに固定した支柱１６の先端に、釣竿Ｒを保持した固定具１１を嵌めて支持固定する釣竿固定装置１０において、
前記支柱１６の先端部１７はスプライン軸状となって、その先端部１７が前記固定具１１の支柱受部１４の嵌合孔１５にその軸周りに回転可能に嵌まり、前記支柱受部１４には嵌合孔１５に直交する調整軸１８がその軸方向に移動可能に挿通されて、その調整軸１８の外周面に前記スプライン軸状の先端部１７に噛み合うラック１８ａがその軸方向に形成されており、前記調整軸１８と前記支柱受部１４の間には、前記調整軸１８を前記支柱受部１４に前記軸方向任意の位置で固定する固定手段２０が設けられていることを特徴とする釣竿固定装置。
【請求項２】
地面Ｇに固定した支柱１６の先端に、釣竿Ｒを保持した固定具１１を嵌めて支持固定する釣竿固定装置１０において、
前記支柱１６の先端部１７はスプライン軸状となって、その先端部１７が前記固定具１１の支柱受部１４の嵌合孔１５にその軸周りに回転可能に嵌まり、前記支柱受部１４には嵌合孔１５に直交する調整軸１８がその軸方向に移動可能に挿通されて、その調整軸１８の外周面に前記スプライン軸状の先端部１７に噛み合うラック１８ａがその軸方向に形成されており、前記調整軸１８と前記支柱受部１４の間には前記調整軸１８を前記支柱受部１４に固定する固定手段２０が設けられており、
前記調整軸１８を支柱受部１４に固定する固定手段２０は、前記調整軸１８の両端部に調整ナット１９をねじ込み、その調整ナット１９の端面１９ａを支柱受部１４に当接することにより、調整軸１８の軸方向への移動を阻止するものとしたことを特徴とする釣竿固定装置。
【請求項３】
地面Ｇに固定した支柱１６の先端に、釣竿Ｒを保持した固定具１１を嵌めて支持固定する釣竿固定装置１０において、
前記支柱１６の先端部１７はスプライン軸状となって、その先端部１７が前記固定具１１の支柱受部１４の嵌合孔１５にその軸周りに回転可能に嵌まり、前記支柱受部１４には嵌合孔１５に直交する調整軸１８がその軸方向に移動可能に挿通されて、その調整軸１８の外周面に前記スプライン軸状の先端部１７に噛み合うラック１８ａがその軸方向に形成されており、前記調整軸１８と前記支柱受部１４の間には前記調整軸１８を前記支柱受部１４に固定する固定手段２０が設けられており、
前記調整軸１８を支柱受部１４に固定する固定手段２０は、前記支柱受部１４に固定ボルト２１をねじ込み、その固定ボルト２１の先端が前記調整軸１８外周に当接して、その調整軸１８の軸方向への移動を阻止するものとしたことを特徴とする釣竿固定装置。
【発明の詳細な説明】
【０００１】
【発明の属する技術分野】
この発明は、主に磯などの岩場において、釣竿を所定の角度で保持する釣竿固定装置に関するものである。
【０００２】
【従来の技術】
釣りをする際に、釣り糸を垂れた状態でその釣竿を所定の角度で支持して置竿するために、その釣り場の地形条件に応じた種々の釣竿固定装置が使用される。
【０００３】
例えば、磯などの岩場で使用される従来の釣竿固定装置は、特許文献１に開示され、図９に示すように、この釣竿固定装置１は、固定具２と支柱６からなり、その固定具２は、釣竿Ｒを保持する竿受部３と、前記支柱６を受ける支柱受部４を有する。前記支柱６は、その先端部７外周に、前記支柱６の長さ方向に延びるスプライン軸状の多数の凹凸条７ａが設けられ、また、前記支柱受部４には、前記先端部７が嵌まる嵌合孔５を有し、その嵌合孔５内周に、前記先端部７の凹凸条７ａが嵌まり合う凹凸条５ａが設けられている。
【０００４】
前記支柱６は、岩場に打ち込まれたホールアンカーにねじ込まれて固定されたり、あるいは、岩の隙間にハンマーで打ち込まれて固定され、その支柱６の先端部７を前記固定具２の嵌合孔５に挿入することにより、固定具２が支柱６に固定される。このとき、双方の凹凸条５ａ，７ａが嵌まり合うことにより、前記固定具２は、前記支柱６に対して水平方向の角度が所定の位置で動かないようになるので、釣竿Ｒの角度を水平方向に動かないよう保持できる。
【０００５】
また、他の釣竿固定装置としては、図１０に示すように、前記固定具２の支柱受部４に設けたクランプ４ａを介して、支柱６に固定具２を固定したものがある。この釣竿固定装置１は、角度調整の都度、そのクランプ４ａを緩めて固定具２を支柱６に対して希望の位置に回転させることにより、支柱６から抜き取ることなく水平方向の角度を調整する。
【０００６】
【特許文献１】
特開平７−２１３２１１号公報
【０００７】
【発明が解決しようとする課題】
しかしながら、上記の図９に示す釣竿固定装置１では、前記固定具２の前記水平方向の角度を調整して釣竿Ｒの向きを変えるには、その固定具２を支柱６から一旦外した後に水平方向の角度調整をし、その位置で再度、固定具２に支柱６を挿入して固定する必要がある。このため、角度の調整作業が煩雑である。
【０００８】
また、前記固定具２は、前記凹凸条５ａ，７ａが嵌まり合って水平方向の角度を位置決めするため、既に岩場等に固定された支柱６に対して、前記固定具２の固定方向は、前記凹凸条５ａ，７ａが嵌まり合う位置の角度に限定される。このため、調整位置が不連続となり、釣竿Ｒの先端の向きを僅かに角度調整したい場合、その希望する角度に応じた微調整ができない。
【０００９】
図１０に示す釣竿固定装置１では、その角度調整を行う際には、前記クランプ４ａを緩めた後、固定具２を手に持って角度の微調整を行い、その位置で動かないように固定具２を手で抑えながら、クランプ４ａを締めつけて、固定作業を行う必要がある。この固定具２を持ちながらの角度調整は、その微調整が行いにくい。また、角度の調整と、前記締めつけ作業とを別々の部位で行うので、クランプ４ａの締めつけ作業中に、固定具２の向きが動いてしまうことがあり、作業が煩雑である。
【００１０】
そこで、この発明は、水平方向の角度の調整作業を容易にし、その角度を無段階で連続的に調整可能とすることを課題とする。
【００１１】
【課題を解決するための手段】
上記の課題を解決するために、この発明は、上記図９に記載の釣竿固定装置において、まず、支柱のスプライン軸状の先端部を固定具の支柱受部にその軸周りに回転可能に嵌めたのである。このようにすれば、支柱に対し固定具を抜くことなく回転し得て、釣竿を任意の角度にし得る。
【００１２】
つぎに、この発明は、上記支柱受部に支柱に直交する調整軸を、その軸方向に移動可能に挿通し、その調整軸の外周面に支柱のスプライン軸状先端部に噛み合うラックを設けるとともに、調整軸と支柱受部との間に調整軸を支柱受部に固定する手段を設けたのである。このようにすれば、固定具の回転につれて調整軸が移動してその作用に支障はなく、釣竿の任意の角度において、調整軸を固定すれば、そのラックとスプライン軸状先端部の噛み合いにより、釣竿はその任意の角度位置で固定される。
【００１３】
具体的には、地面に固定した支柱と、その支柱の先端に釣竿を保持した固定具を嵌めて支持する釣竿固定装置において、上記支柱の先端部をスプライン軸状とし、その先端部が固定具の支柱受部の嵌合孔にその軸周りに回転可能に嵌まり、その支柱受部には、前記嵌合孔に直交する調整軸をその軸方向に移動可能に挿通し、前記調整軸には、その外周面に前記スプライン軸状の先端部に噛み合うラックをその軸方向に形成し、その調整軸と支柱受部の間に、両者の固定手段を設けたのである。
【００１４】
この構成によれば、調整軸がその軸方向に移動可能な状態において、前記固定具を支柱の軸周りに回転することにより、支柱受部は前記先端部の軸周りに回転移動し、その移動において、前記スプライン軸状の先端部に噛み合ったラックを介して、調整軸が、前記支柱受部に対してその軸方向に進退する。このため、前記固定具は、支柱から抜き取ることなく、所定の水平方向の角度に無段階で連続的に調整できる。この調整軸の移動を前記固定手段により阻止すれば、前記固定具の支柱に対する回転を固定する。
【００１５】
前記固定手段の具体的構成として、前記調整軸の両端部に調整ナットをねじ込み、その調整ナットの端面を支柱受部に当接することにより、前記調整軸を軸方向へ移動しないようにしたものを採用し得る。このようにすれば、前記調整ナットを回転することにより前記端面が移動して、調整軸を任意の位置で固定できるとともに、一方の調整ナットを緩めて他方を締めることにより、前記端面が支柱受部を押圧して、固定具の水平方向の角度を微調整できる。このため、固定具の角度調整、及び支柱への固定が同一のナットでできるので、作業が容易である。
【００１６】
また前記固定手段の他の構成として、前記支柱受部に固定ボルトをねじ込み、その固定ボルトの先端が前記調整軸外周に当接することにより、前記調整軸を軸方向への移動しないようにしたものを採用し得る。このようにすれば、調整軸の支柱受部への固定が１本のボルトでできるので、便利である。
【００１７】
【発明の実施の形態】
一実施形態の釣竿固定装置を図１乃至図７に示し、この実施形態の釣竿固定装置１０は、磯などの岩場で使用され、岩の隙間等にハンマーで打ち込まれて地面Ｇに固定されるピトンタイプの支柱１６の先端に、釣竿Ｒの固定具１１を固定したものである。固定具１１は、フレームＦと、そのフレームＦに取り付けた前後の竿受部１３と、前記支柱１６を受ける支柱受部１４とを有する。
【００１８】
図１に示すように、前記竿受部１３は、上向きに開放した前方竿受部１３ａと環状に形成した後方竿受部１３ｂとからなり、その両竿受部１３ａ，１３ｂが、前記フレームＦに対して、その長手方向に起伏自在に取り付けられる。図２（ａ）に示すように、前記環状の後方竿受部１３ｂに釣竿Ｒの竿尻を、その竿受部１３ｂ前方から後方に向かって通し、その釣竿Ｒの取手部やや前方を、前記上向き開放した前方竿受部１３ａに載せることにより、前記竿受部１３ａ，１３ｂが、フレームＦ上において釣竿Ｒを保持する。
【００１９】
この竿受部１３ａ，１３ｂを、図３に矢印で示すように、前記フレームＦに対して起伏させて角度を調節することにより、竿受部１３が釣竿Ｒに当たる部分を変えて、その保持位置を調整する。
【００２０】
前記フレームＦは、支柱受部１４に対して、ヒンジ軸１４ａにより垂直方向の仰角調整が可能となっており、図３に示すように、前記支柱受部１４に垂直方向に仰角調整軸２２がねじ込まれ、その先端２２ａがフレームＦの下面に当接している。この調整軸２２を回転させて垂直方向に進退させることにより、図中に鎖線で示すように、フレームＦの仰角を変えて釣竿Ｒ先端の高さを調整する。
【００２１】
この固定具１１を支持固定する支柱１６は、図２（ａ）及び（ｂ）に示すように、下端部がくさび状を成し、そのくさび状の下端部をハンマー等で打ち込んで地面Ｇに固定する下部支柱１６ａと、その下部支柱１６ａ上に接続される上部支柱１６ｂとに上下に分割されている。その上部支柱１６ｂの先端部１７外周は、図４に示すように、スプライン軸状の凹凸条を成しており、その先端部１７が、前記固定具１１の支柱受部１４の嵌合孔１５に、その周方向に回転自在に嵌まって、固定具１１が支柱１６先端に支持固定される。
【００２２】
前記支柱受部１４には、図５に示すように、前記嵌合孔１５に直交する挿通孔１２に、調整軸１８がその軸方向に移動可能に挿通しており、その調整軸１８の軸方向中程には、図中に示すように、スプライン軸状先端部１７に噛み合うラック１８ａを、その調整軸１８の軸方向に形成している。支柱１６が、前記支柱受部１４に対して回転することにより、前記先端部１７に噛み合うラック１８ａを介して、調整軸１８がその軸方向に動く。
【００２３】
このため、その調整軸１８を支柱受部１４に対して、軸方向に動かないよう固定する固定手段２０により、調整軸１８を支柱受部１４に固定すれば、前記固定具１１の支柱１６に対する回転を止めて、水平方向の角度を所定の位置に固定できる。
【００２４】
その固定手段２０は、図５に示すように、前記調整軸１８の両端部にネジ部１８ｂを設け、そのネジ部１８ｂに調整ナット１９をねじ込んで構成されるものである。この調整ナット１９を、調整軸１８に対して進退することにより、その支柱受部１４側の端面１９ａが支柱受部１４に当接し、その当接により、調整軸１８の軸方向への移動が阻止されて、調整軸１８が支柱受部１４に対して不動になる。
【００２５】
このとき、調整ナット１９は、図中に示すように、その内周に設けたネジ部１９ｂが、支柱受部１４側の端面１９ａと反対側の端面１９ｃ側に近い部分のみに設けられ、ネジ部１９ｂの設けられていない端面１９ａ側の内径は、前記調整軸１８のネジ部１８ｂの凸部外径よりも大きくしている。
【００２６】
このため、調整軸１８の前記ラック１８ａが、図５に示すように、前記支柱受部１４側面から外方に露出している場合においても、調整ナット１９を回転して締めつけることにより、その端面１９ａがネジ部１８ｂの範囲を越えてねじ込まれて、調整軸１８の軸方向中程のラック１８ａ部分の側方において、端面１９ａが前記支柱受部１４の側壁に当接する。このため、調整ナット１９と支柱受部１４との当接位置にかかわりなく、前記ラック１８ａの範囲を軸方向に長くすることができるので、固定具１１の角度調整範囲を広くできる。
【００２７】
この固定具１１の向きを変えたいときには、例えば、図６（ａ）に示すように、一方の調整ナット１９を図中の矢印ａのように緩め、固定具１１を持って支柱１６に対して水平方向に、図６（ｂ）に示す矢印ｂのように回転させる。希望する方向に調整した後、他方の調整ナット１９を矢印ｃのように締めつけ、さらに両側から調整ナット１９，１９を強く締めつけて、前記調整軸１８を支柱受部１４に固定する。
【００２８】
このとき、さらに固定具１１の角度を微調整する際には、再度一方の調整ナット１９を、例えば、図６（ａ）の矢印ａに示すように緩め、他方の調整ナット１９を同方向に締めつける。この締めつけにより、他方の調整ナット１９の端面１９ａが、支柱受部１４を、他方から一方へ押圧し、その押圧により、前記先端部１７に対して、支柱受部１４が、図６（ｂ）の矢印ｂに示す方向に一定範囲で緩やかに回転する。
【００２９】
このようにすれば、調整ナット１９を回転することにより、前記固定具１１の角度を容易に微調整することができるので、便利である。また、前記固定具１１の角度調整と、その固定具１１の支柱１６に対する固定を、同一の調整ナット１９で行うので、固定具１１の開放、角度調整、固定の一連の操作が容易である。
【００３０】
この調整ナット１９，１９による操作を、図７に矢印ｄで示すように、適宜、一方を緩め、他方を締めるなどして角度調整を繰り返せば、固定具１１を図中の矢印ｅのように微小に回転させることができるので、希望する最適の水平方向の角度に微調整することが容易である。
【００３１】
さらに、前記支柱受部１４には、水平方向にねじ込まれた抜け止め２３が設けられ、この抜け止め２３の先端が支柱１６の側面に圧接することにより、支柱受部１４に対して支柱１６を固定する。このようにすれば、支柱１６が嵌合孔１５内で圧接されて固定され、支柱受部１４からの支柱１６の脱落を防止する。この脱落防止機能を求めない場合には、抜け止め２３は省略し得る。
【００３２】
なお、この実施形態では、図４に示すように、前記調整軸１８の横断面の円形の一部をフラット状にした回転止め１８ｃを形成し、この調整軸１８が挿通される挿通孔１２の横断面にもフラット状の回転止め１２ｃを設け、両者の横断面を同形状として、両回転止め１８ｃ，１２ｃが接触した状態で、前記挿通孔１２に前記調整軸１８が挿通される。このため、調整軸１８の外周の回転止め１８ｃが、前記挿通孔１２内周の回転止め１２ｃに当たって、調整軸１８の軸周りの回転を阻止する。このようにすれば、調整軸１８が軸方向に移動する際に、前記回転止め１８ｃ，１２ｃがガイドとなって、調整軸１８の不用意な軸周り回転方向のがたつきを防止する。このため、調整軸１８は、軸方向へスムースに誘導される。
【００３３】
ただし、この回転止め１８ｃ，１２ｃは図４の形態には限定されず、前記調整軸１８が軸周りに回転しようとする時に、その外周が挿通孔１２内周に当接して軸周りの回転を阻止するように、調整軸１８及び挿通孔１２の横断面の形状を組み合わせて採用すればよい。例えば、調整軸１８及び挿通孔１２の両断面それぞれに凹凸状を成す回転止めを設け、調整軸１８を挿通孔１２に挿通した際に、その凹凸状の回転止め同士が嵌まり合うことにより、調整軸１８の軸周り回転方向のがたつきを防止するようにしてもよい。
【００３４】
なお、この回転止めの機能を求めない場合、調整軸１８、及び挿通孔１２の横断面形状は自由であるが、ともに同形状の円形断面として、両者の隙間が大きくならないようスムースに挿通されるようにすることが望ましい。
【００３５】
また、前記調整軸１８を支柱受部１４に対して、その軸方向に移動しないよう固定する他の固定手段２０として、図８に示すように、前記支柱受部１４に固定ボルト２１をねじ込み、その固定ボルト２１の先端が前記調整軸１８外周に当接して、その調整軸１８の軸方向への移動を阻止するようにした構成を採用し得る。このようにすれば、前記調整軸１８の軸方向の移動を、一か所のねじ操作で制止することができる。なお、この固定ボルト２１による固定手段２０は、前記調整ナット１９による固定手段２０と併用することができる。
【００３６】
この実施形態では、支柱１６は上下に２分割され、下端部が地面Ｇに打ち込まれて地面Ｇに固定されるようにしたが、この実施形態には限定されず、前記支柱１６の下端部は、岩場に打ち込まれたホールアンカーにねじ込まれて固定されるようにした構成も採用し得る。また、他にも、支柱１６を三脚で固定するようにした構成も考えられ、この構成によれば、磯以外にも波止や浜においてもこの釣竿固定装置を使用可能である。
【００３７】
また、固定具１１は、この実施形態には限定されず、例えば、竿受部１３等に設けたヒンジ部を少なくした簡易な構成の固定具等、周知の固定具が使用でき、支柱１６は、上下に分割しない一体型のものも使用可能である。
【００３８】
【発明の効果】
この発明によれば、以上のように、水平方向の角度の調整作業、及び固定作業が容易で、その角度を無段階で連続的に調整できる。
【図面の簡単な説明】
【図１】一実施形態の釣竿固定装置を示す斜視図
【図２】図１の釣竿固定装置の正面図
【図３】同実施形態の釣竿固定装置の固定具の機能を示す説明図
【図４】同実施形態の支柱と固定具の接続状態を示す切断正面図
【図５】同実施形態の支柱と固定具の接続状態を示す切断平面図
【図６】固定具の角度調整時の動きを示す詳細図
【図７】固定具の角度調整時の動きを示す詳細図
【図８】同実施形態の支柱と固定具の接続状態を示す切断正面図
【図９】従来例の釣竿固定装置
【図１０】従来例の釣竿固定装置
【符号の説明】
１，１０  釣竿固定装置
２，１１  固定具
３，１３  竿受部
４，１４  支柱受部
５，１５  嵌合孔
５ａ，７ａ  凹凸条
６，１６  支柱
７，１７  先端部
１２  挿通孔
１２ｃ，１８ｃ  回転止め
１８  調整軸
１８ａ  ラック
１８ｂ  ネジ部
１９  調整ナット
１９ａ，１９ｃ  端面
１９ｂ  ネジ部
２０  固定手段
２１  固定ボルト
２２  仰角調整軸
２３  抜け止め
Ｆ  フレーム
Ｒ  釣竿
【図１】
0003669989.tif 000002
【図２】
0003669989.tif 000003
【図３】
0003669989.tif 000004
【図４】
0003669989.tif 000005
【図５】
0003669989.tif 000006
【図６】
0003669989.tif 000007
【図７】
0003669989.tif 000008
【図８】
0003669989.tif 000009
【図９】
0003669989.tif 000010
【図１０】
0003669989.tif 000011